(57)【要約】【課題】分解しやすい筐体構造を提供する。【解決手段】第１の筐体４の周壁から第２の筐体５側へ突出した突出片１１の係合穴１２と、第２の筐体５の周壁から内側へ突出した係合穴１２との係合によって、第１の筐体４と第２の筐体５の組み付きが固定されている。また、第２の筐体５の周壁端面５ａの内周縁部が傾斜面５ｂになっている。このため、第１の筐体４の周壁に外側から力が加わると、第１の筐体４の周壁端面４ａが傾斜面５ｂに沿って摺動し、係合穴１２と係合爪１３の間にクリアランスが生じるので、分解しやすい。【選択図】図５
2015082631.tif 000002
【特許請求の範囲】
【請求項１】
第１の筐体の周壁と第２の筐体の周壁とが互いに突き当てられた状態で組み付けられた筐体構造であって、
前記第１の筐体の周壁から前記第２の筐体側へ突出した突出片と、
前記突出片に形成された係合穴と、
前記第２の筐体の周壁から内側へ突出し、前記突出片の前記係合穴に係合する係合爪とを備え、
前記第１の筐体の前記周壁の端面は平面状であり、
前記第２の筐体の前記周壁の端面のうちの外周縁部側は、前記第１の筐体の前記周壁の端面に突き当たる平面状であり、内周縁部側は、外側から内側に向かうにつれて前記第１の筐体の前記周壁の端面から離間する傾斜面状であることを特徴とする筐体構造。
【発明の詳細な説明】
【技術分野】
【０００１】
この発明は、第１の筐体の周壁と第２の筐体の周壁とを互いに突き当てて組み付ける筐体構造に関するものである。
【背景技術】
【０００２】
例えば特許文献１に係る筐体構造は、上ケースの係合凹部と下ケースの係合凸部を係合して、上ケースと下ケースを組み付ける構成である。この筐体構造において、下ケースの周壁の端面は、上ケースの内壁面に完全に密着させていた。
【先行技術文献】
【特許文献】
【０００３】
【特許文献１】特開２０１３−４６１７号公報
【発明の概要】
【発明が解決しようとする課題】
【０００４】
２個の筐体を組み付けて成る筐体構造において、従来は、一方の筐体の周壁端面をもう一方の筐体に完全に密着させていたので、筐体を分解する際に筐体に力を加えても変形しにくく、係合凸部と係合凹部の係合を解除しにくいという課題があった。
そのため、無理に分解しようとした場合、係合凸部と係合凹部が破損することがあった。
【０００５】
この発明は、上記のような課題を解決するためになされたもので、分解しやすい筐体構造を提供することを目的とする。
【課題を解決するための手段】
【０００６】
この発明に係る筐体構造は、第１の筐体の周壁と第２の筐体の周壁とが互いに突き当てられた状態で組み付けられるものであって、第１の筐体の周壁から第２の筐体側へ突出した突出片と、突出片に形成された係合穴と、第２の筐体の周壁から内側へ突出し、突出片の係合穴に係合する係合爪とを備え、第１の筐体の周壁の端面は平面状であり、第２の筐体の周壁の端面のうちの外周縁部側は、第１の筐体の周壁の端面に突き当たる平面状であり、内周縁部側は、外側から内側に向かうにつれて第１の筐体の前記周壁の端面から離間する傾斜面状である。
【発明の効果】
【０００７】
この発明によれば、第２の筐体の周壁端面の内周縁部側が、外側から内側に向かうにつれて第１の筐体の前記周壁の端面から離間する傾斜面状になっているので、筐体構造を分解する際に第１の筐体の周壁に力が加わると、当該第１の筐体の周壁端面が第２の筐体の周壁端面に設けた傾斜面に沿って摺動し、係合爪と係合穴の間にクリアランスが生じるので、分解しやすい。
【図面の簡単な説明】
【０００８】
【図１】この発明の実施の形態１に係る筐体構造を用いた表示装置の構成を示す斜視図であり、液晶パネルが収納された状態である。
【図２】実施の形態１に係る筐体構造を用いた表示装置の構成を示す斜視図であり、液晶パネルが収納されていない状態である。
【図３】図２の係合部の係合状態の拡大図である。
【図４】図２の係合部の係合解除状態の拡大図である。
【図５】係合部を図３のＡＡ線に沿って切断した断面図である。
【図６】実施の形態１に係る筐体構造の理解を助けるための参考例であり、第２の筐体の周壁端面に傾斜面を設けない構成を示す。
【図７】実施の形態１に係る筐体構造を用いた天吊り用表示装置の構成を示す斜視図である。
【発明を実施するための形態】
【０００９】
実施の形態１．
本実施の形態１では、液晶パネルを有する表示装置に用いる筐体構造を例にして、本発明を説明する。
図１および図２は、本実施の形態１に係る筐体構造を用いた表示装置１を示す斜視図であり、図１は液晶パネル２が収納された状態、図２は液晶パネル２が収納されていない状態を示す。表示装置１は、開口部３が形成された第１の筐体４と、この第１の筐体４に組み付ける第２の筐体５と、第１の筐体４および第２の筐体５によって形成される内部空間に収納される液晶パネル２などを備えている。第１の筐体４の開口部３は、液晶パネル２の表示画面を露出させる。第１の筐体４と第２の筐体５は、第１の筐体４の周壁と第２の筐体５の周壁を互いに突き当てた状態で、１つ以上の係合部１０で係合されている。図２の例では、筐体内側に３つの係合部１０が見えている。
【００１０】
図３は、係合部１０の係合状態の拡大図であり、図４は、係合解除状態の拡大図である。
第１の筐体４は、周壁端面４ａから第２の筐体５側へ突出した突出片１１を有する。この突出片１１には、係合穴１２が形成されている。第２の筐体５は、周壁から内側へ突出した係合爪１３を有する。第１の筐体４の周壁端面４ａと第２の筐体５の周壁端面５ａとを突き当てた際に、係合爪１３が突出片１１の係合穴１２に係合して、第１の筐体４と第２の筐体５の組み付けが固定される。図３の例では、１つの係合部１０に対して２つの係合爪１３を設けているが、係合爪１３の数は任意でよい。
【００１１】
また、図４に示すように、第１の筐体４の周壁端面４ａは平面である。他方、第２の筐体５の周壁端面５ａは、外周縁部側の平面を残して、内周縁部側が傾斜面５ｂになっている。この傾斜面５ｂは、周壁端面５ａの外側から内側に向かって低くなる傾斜形状である。
【００１２】
図５（ａ）および図５（ｂ）は、係合部１０を図３のＡＡ線に沿って切断した断面図である。図５（ａ）に示すように、係合部１０の係合状態において、周壁端面４ａと周壁端面５ａの平面部分とが突き当たって密着している。他方、周壁端面４ａと傾斜面５ｂとの間には、外側から内側に向かうにつれて傾斜面５ｂが周壁端面４ａから離間するような隙間が生じている。
【００１３】
図５（ｂ）に示すように、係合部１０の係合を解除する場合、作業者が、第１の筐体４の周壁に外側から力を加えて（矢印Ｂ）、二点鎖線で示す第１の筐体４から実線で示す第１の筐体４へ、たわませる。これにより、周壁端面４ａの外周縁部が傾斜面５ｂに移動し、傾斜面５ｂに沿って内側へ摺動するようになるので、係合爪１３と係合穴１２の間にクリアランスＣが生じ、係合爪１３が外れやすくなる。つまり、作業者は、係合部１０の係合を解除するために、矢印Ｂで示す距離だけ、第１の筐体４の周壁をたわませればよい。
【００１４】
ここで、図５の係合部１０と、図６に示す参考例の係合部１０−１とを対比しながら、本発明の効果を説明する。
図６は、本実施の形態１に係る筐体構造の理解を助けるための参考例であり、第２の筐体５の周壁端面５ａに傾斜面５ｂを設けない構成である。図６（ａ）に示すように、係合部１０−１が係合状態のとき、第１の筐体４の周壁端面４ａと第２の筐体５の周壁端面５ａとが完全に密着している。そのため、係合部１０−１の係合を解除する際に作業者が第１の筐体４の周壁に外側から力を加えても、第１の筐体４の周壁はあまり変形せず、係合穴１２と係合爪１３が係合したままとなり、外れにくい。係合穴１２と係合爪１３の係合を解除するためには、図６（ｂ）に示すように、矢印Ｄで示す距離（Ｄ＞Ｂ）だけ、第１の筐体４の周壁をたわませる必要があり、図５の筐体構造に比べてより大きな力が必要となる。
【００１５】
以上より、実施の形態１の筐体構造は、係合部１０として、第１の筐体４の周壁から第２の筐体５側へ突出した突出片１１と、突出片１１に形成された係合穴１２と、第２の筐体５の周壁から内側へ突出し、突出片１１の係合穴１２に係合する係合穴１２とを備え、さらに、第１の筐体４の周壁端面４ａは平面状であり、第２の筐体５の周壁端面５ａのうちの外周縁部側は、周壁端面４ａに突き当たる平面状であり、内周縁部側は、外側から内側に向かうにつれて第１の筐体４の周壁端面４ａから離間する傾斜面５ｂになっている。
このため、第１の筐体４と第２の筐体５を分解する際に第１の筐体４の周壁に力が加わると、第１の筐体４の周壁端面４ａが第２の筐体５の傾斜面５ｂに沿って摺動し、係合穴１２と係合爪１３の間にクリアランスが生じるので、分解しやすい。
【００１６】
さらに、係合爪１３の大きさを、図５（ａ）に二点鎖線で示す係合爪１３ａのように大きくして、係合穴１２との係合力を高めることも可能である。これにより、第１の筐体４と第２の筐体５の組み付きを強固にできると共に、第１の筐体４と第２の筐体５を分解する際には容易に分解できる。
【００１７】
なお、第２の筐体５の周壁端面５ａの外周縁部を平面のまま残して、第１の筐体４の周壁端面４ａに突き当てるための部位として確保しているため、作業者が第１の筐体４と第２の筐体５を分解するとき以外、意図せず係合部１０の係合が解除されることを防止できる。
【００１８】
また、実施の形態１の筐体構造を、天吊り用の表示装置などに適用することも可能である。図７に、天吊り用表示装置１−１の斜視図を示す。この天吊り用表示装置１−１は、例えば自動車の車室天井に設置される収容部２０と、ヒンジを用いて収容部２０に回転自在に連結された表示装置１とから構成される。視聴者は、使用時に表示装置１を開き、不使用時に表示装置１を閉じる。このとき、表示装置１のヒンジ側２１は収容部２０に対面するので、視聴者が触りにくい。そこで、視聴者が触りにくいヒンジ側２１のみに、第２の筐体５の傾斜面５ｂを設けて、係合部１０を配置する。これにより、視聴者が表示装置１を開閉しているときなどに、意図せず係合が解除されることを防止できる。他方、表示装置１を分解する際には、作業者が表示装置１を収容部２０から取り外して、ヒンジ側２１の第１の筐体４に力を加えることにより、容易に係合を解除できる。
【００１９】
さらに、実施の形態１の筐体構造を、表示装置１以外の電子機器に適用することも可能である。
【００２０】
なお、本発明はその発明の範囲内において、実施の形態の任意の構成要素の変形、もしくは実施の形態の任意の構成要素の省略が可能である。
【符号の説明】
【００２１】
１  表示装置、１−１  天吊り用表示装置、２  液晶パネル、３  開口部、４  第１の筐体、４ａ，５ａ  周壁端面、５  第２の筐体、５ｂ  傾斜面、１０，１０−１  係合部
、１１  突出片、１２  係合穴、１３  係合爪。
【図１】
2015082631.tif 000003
【図２】
2015082631.tif 000004
【図３】
2015082631.tif 000005
【図４】
2015082631.tif 000006
【図５】
2015082631.tif 000007
【図６】
2015082631.tif 000008
【図７】
2015082631.tif 000009